(57)【要約】吸収性があって洗濯可能な失禁症者など向けの衣類および下着を、多数のスタイル、色および容量で提供する。成形吸収パウチアセンブリの、適合可能で透過性を有する内側層が肌に接触する。吸収綿層が、気体透過性を有するが防水でストレッチ性のある布により密封される。パウチは、従来の弾性細片およびシート弾性布地により位置決めする。各スタイルは見た目が通常の下着のスタイルと類似し、決まり悪さを低減しよう。防水加工処理では、フルオロアルキルアクリレートのエマルジョンを織編布に透過させて使用する。より大容量のバージョンでは、衣類全体を防水加工する。【選択図】図４
2017513671.tif 000002
【特許請求の範囲】
【請求項１】
吸収性があり、洗濯および再使用可能な衣類または下着であって、以後「衣類」といい、通常の下着、ブリーフ、パンティーまたはＧストリングに似た色、任意の模様、および、スタイルを持ち、尿道、女性の膣、および肛門の部位において人の身体の領域から放出される排出物を吸収および保持するように改作し、各衣類は、
（ａ）紐、ウエストバンド、および胴体／足パネルを含む範囲より選択される少なくとも１つの弾性保持手段を含み、
（ｂ）前記衣類の構造の一部として、内部を有し複数の層を備える、内面で肌に適合可能な吸収性のある成形パウチを含み、前記複数の層は内側層及び外側層を有し、前記領域と接触しながら維持される前記内側層は、ストレッチ性があり、織るかまたは編んだ、濡れやすく透水性のある布でできた少なくとも１つの成形パネルを持ち、前記内側層の外側は、親水性で流体を吸収する構成要素を有する中間層の内側面と接触しながら維持され、、
（ｃ）前記外側層は、布自体は液体水を保持するため不透過性にしながら水蒸気に対しては透過性にし、元来のストレッチ性および弾性特性は保持するようにする防水加工工程にかけた、肌に適合可能な織編布でできた少なくとも１つの外パネルを持つことを特徴とする、衣類。
【請求項２】
前記中間層は、タフティングしたタオル地、綿およびミクロ繊維を含む範囲より選択した、取り外すことのない、柔軟な成形吸収物質でできた少なくとも１つの層を備え、前記少なくとも１つの層は縫い目により吸収パウチに固定され、所定の位置に維持されていることを特徴とする、請求項１に記載の衣類。
【請求項３】
前記中間層の内側部は、前記中間層の比較的高密度の外側部と比べ、流入に対し比較的開放され、透過性を有するように構成してあり、それにより、放尿に特有の流速で流入してくる液状物質を容易に受け取れるようにしてあることを特徴とする、請求項２に記載の衣類。
【請求項４】
前記中間層はさらに、銀コロイドおよび活性炭を含む範囲より選択した有効成分を含むことを特徴とする、請求項２に記載の衣類。
【請求項５】
前記防水加工工程は、撥水性物質の液体エマルジョンを布に適用するステップを含み、前記撥水性物質はフルオロアルキルアクリレートを含む範囲より選択されることを特徴とする、請求項１に記載の衣類。
【請求項６】
前記パウチの内部の間を通り、前記外側層から出る全ての縫われた縫い目は、液体が前記縫い目を通って吸い上げられることにより外部に移動することができないように、様々な撥水性封止テープおよび適用撥水剤より選択した手段を用いて防水性にすることを特徴とする、請求項１に記載の衣類。
【請求項７】
前記衣類はそれぞれ、公称保持容量と身体サイズを有し、男性用バージョンまたは女性用バージョンの何れかで製作され、女性バージョンには「Ｇストリング」バージョンが含まれることを特徴とする、請求項１に記載の衣類。
【請求項８】
男性用バージョンにおける前記パウチは、使用中、前記パウチの内部スペースに男性器を収容することができる成形内部を有し、前記パウチは、共通の中央端を縫い合わせた際に前記パウチの形をつくる、対称で対になった湾曲パネルから組み立てることを特徴とする、請求項７に記載の衣類。
【請求項９】
前記衣類は前記パウチの内部スペースに前部開口をさらに備えていることを特徴とする、請求項８に記載の衣類。
【請求項１０】
前記胴体／足パネルも防水加工してあることを特徴とする、請求項１に記載の衣類。
【請求項１１】
前記衣類は、任意の１サイズでより広い範囲の人に合わせることが可能なように、下着の側部に、または、足および尻を覆うように、テープ、紐またはベルトの調整手段を含むことを特徴とする、請求項１に記載の衣類。
【請求項１２】
足開口周りに撥水性弾性バンドが含まれていることを特徴とする、請求項１に記載の衣類。
【請求項１３】
前記衣類には、該衣類を動けない人に装着可能なように、開放可能な側部を設けてあることを特徴とする、請求項１に記載の衣類。
【発明の詳細な説明】
【技術分野】
【０００１】
本発明は、防水スペース内で排出物を吸収および保持することが可能である、吸収性があり、洗浄および再使用可能な衣類または下着、特に、尿失禁者が着用するのに有用な、目立たないズボン下またはパンティーに関する。
【０００２】
〔定義−本明細書で使用する用語〕
「布」とは、織編布または織編地を指す。本明細書に含む任意の不織布パネルまたは不織部は特に識別する。
【０００３】
「公称容量」は、正確な記述子ではない。吸収する正確な容量は、放出速度、放出頻度、排出物タイプ、選択したサイズおよび個人の好み、ならびに、個人的許容量に左右され得る。数時間にわたる放出の合間の蒸発は、範囲を広げる。
【０００４】
「内側」とは、人間の体に接触して装着する場所または層を指す。
【０００５】
「パッド」とは、「綿タフティング」、「綿タオル地」または「ミクロ繊維綿」として知られる織布など、１つ以上の層を備えた洗浄および再使用可能な吸収材を指し、月経時の排出用の使い捨て可能なタイプのパッドと理解すべきではない。
【０００６】
「適合」は、柔軟で弾性があり、プラスチックのシートとは異なり伸縮可能である結果、凸形状に密接することが可能な服地または布地のシートの特性を述べるのに用いる。
【０００７】
「排出」には、尿、便、下痢、腸の内容物、粘液、月経時の排出物、および、感染症が原因の排膿のうち、１つ以上を含む可能性が高い。衣類は該排出物を捕えるために存在し、最もよく知られる例は、赤ん坊など向けのおむつまたはおしめである。排出は継続的に、または、断続的に、遅い流速または早い流速で起き得る。排出物は、ほぼ例外なく不快で悪臭を放ち、公共の場で無意識に放出された場合、または、可処分の下着内に廃棄された場合、健康障害を表す。
【０００８】
本明細書では、この衣類の不変部位である吸収パウチアセンブリの内側層など、「速乾」層についてしばしば言及する。好適な層は、「機能性１００％ポリエステル布地」または布として知られる。それは濡れやすく、透水性が高い。それはしばしば「乾燥−冷涼」と呼ばれ、多数の製造業者により提供される。それは、ストレッチ性のためにエラスタン（スパンデックス（登録商標））繊維を含み得る。
【背景技術】
【０００９】
失禁症を患う人口の割合は推定で６人に１人であり、この割合は地域社会で高齢者の数が増加するにつれ上昇する可能性がある。出願人の実用化試験には、１回のテスト中に２０回、無意識に放尿する人を少なくとも１人含めた。Beguinらは、６０歳以上の女性のうち４２％超が中程度から重度の尿失禁を経験していると述べる（非特許文献２）。Bakerらは、米国の吸収パッドの市場は１９８７年において４億９６００万ドルあり、成人女性の最高４０％が患っていると述べる（非特許文献３）。Irwinらは、２００８年の世界人口における状況を、１０．７％が過活動膀胱を患い、８.２％が尿失禁症を患うと集計した。彼らは、患者の大多数がアジアにいることを発見した（非特許文献４）。Companies and Markets.comによる２０１３年７月のレポートは、米国における失禁症の市場規模は２０１７年に１６億米ドルに達すると予測した。該レポートは、実質的な問題および大きな市場需要、つまり長年にわたる要求があると指摘する。
【００１０】
一部の例では失禁症は一時的である。他の例では、それは加齢または病気の結果である。失禁症は５タイプのうちの１つとして説明されてきた。溢流、圧迫（つまり圧力）、衝動、機能性、および、反射作用である。症状は患者にとってきまり悪いものである。これは特に、現在の「人口装具」衣類は他人にすぐに分かり、高齢者だけでなく、それを使用するあらゆる年齢の人を傷つける汚名および固定観念をもたらすからである。例えば当社の調査は、最も成長の早い米国市場は、２０〜３０歳のアフリカ系アメリカ人の肥満体の女性セクターであることに注目した。（ａ）臭いを含め、漏れを効果的に閉じこめること、（ｂ）失禁用衣類のようには全く見えないことの両方により、効果的に失禁症を隠す衣服が望まれよう。高齢女性の尿保持などの調子は、無意識に放出することへの懸念により悪化し得る。効果的な衣類防御が必要である。
【００１１】
実際の病気または症候群としての失禁症の域を超え、群衆整理などの長時間勤務につく警官または兵士、および飛行機パイロットは、時間とともに充満した膀胱から出る尿を吸収することが可能な服を着用する必要がある。加えて、マラソンランナー、他のスポーツ選手および旅行者もそのような服を必要とし得る。
【００１２】
失禁症または同様の問題を扱う際のコストは、提供された衣類が洗濯できず再使用できない場合上昇する。
【００１３】
吸収下着の１つの必要条件は、人が、失禁症が始まる前に着用していたのと同じ外側衣類の着用を続けることできることである。吸収衣料は、それが存在するという手掛かりを与えるべきではなく、そして、吸収機能を有する。先行技術の衣料は、特質上かさばり、明らかに実用的で、美的感覚を欠き、快適性のために設計されたものではない。一部のタイプは人が動くとカサカサした音がし、これは吸収パッドの周りのプラスチック膜から生じるものである。「濡れた感触」は不快であり、これはなくすべきもう一つの欠点である。排出物の外側衣類への移動は、非常に望ましくない。特に足の間または皮膚のひだに湿った皮膚領域がある人は、皮膚炎または膣感染症に関連した失禁症を患いやすい。液体を皮膚から引き離すことにより、人の皮膚の乾燥と通気性を保つことが望ましい。
【００１４】
下着を単一体として、例えば、汚れたら分解し、一部を廃棄し、その後再度組み立てる必要なしに洗濯および乾燥することができるような、「手のかからない」属性も望ましい。
【００１５】
一部の環境で生じるさらなる要求は、排尿速度で放出される尿を、同程度に早い速度では吸収されなくとも閉じこめることができる能力である。この必要条件は記載する発明で満たすことが可能である。米国特許第５３０００５４号明細書のFeistら、および、欧州特許第０３４３９４１号明細書のBergmanらは、使い捨ておむつにおいて該問題に取り組んだが、先行技術の衣類は速度の遅い排出物を閉じこめることを最も得意とするようである。Fadoらは、調査した失禁用の洗浄可能な衣類は、高速排出物を閉じこめ損なったと報告する(非特許文献１)。
【００１６】
〔先行技術〕
パッドまたはパンティーライナーを含む、赤ん坊および子どもまたは失禁症の大人向けの、再使用可能な、または、使い捨てのおむつは周知である。これは、液体および半固体を吸収するため大容量であることを目的とする。多くは使い捨てで、不織布である。多くは、肌、特に高齢者の肌に炎症作用の危険性を高める合成物質から作る。多くの先行技術のおむつは、患者に残されたままの場合しばらくすると吸収するのを止める。水蒸気透過性は望ましい属性だが常に備わっているわけではなく、そのため、肌は湿ったままである場合がある。
【００１７】
多くは通常、排出物を保持することを目的とした防水特性を主張する使い捨て衣類であり、遮水壁として典型的にはポリウレタンでできた薄い膜を含む。これの欠点には、（気体に関する）貧弱な通気性、耐用年数の短さ、感じ取れるほどのカサカサ音が含まれる。当社は、厚さが大体０．２５ｍｍの膜は、強力な消毒剤を含む洗剤を使用する場合は特に、何回もの洗浄に耐えられないだろうと予想する。
【００１８】
先行技術からの選択項目には、大人の使用に適切な使い捨ておむつについて記載したFeistらの米国特許第５３０００５４号明細書を含む（特許文献１）。吸収性ゲル化材料を使用し、ポリエチレンの遮水壁を外部に使用する。２つの異なる平均細孔径を有するポリウレタン製の２つの層を備える外部防水フィルムは、繰り返し洗濯した後の性能低下を防ぐことを要求される。先行技術の多くは、防水外部、吸収性物質、および、親水性内側とともに、層になった排出物保持手段について記載する。独国特許発明第４４２９２５１号明細書は、失禁症者用の、男性器用ポケットを含む再使用可能な衣類について記載する（特許文献２）。それは使い捨ての吸収パッド用ポケットも含むため、本発明の同等物ではない。同様に、国際公開第２０１４／０２６２３６号は、親水性になるように処理した内側層、吸水性中間層、および、通気性はあるが実質的には耐湿性の外側層を有する、洗濯可能なガセットまたはインサーションについて記載する（特許文献３）。そして、該外側層は衣料の層の後ろに隠れるが、これは通気性のある外側層の効率を低減する傾向がある。該ガセットは、人の身体の形状に適合できるようには見えない。ベルギー特許第１０１０２７９号明細書もまた、失禁症者用の再使用可能な衣類について記載する（特許文献４）。全体構造は中間開渠を提供し、これは該衣類を着用する人に該衣類の吸収材を触れさせる。限られたスペースは最大吸収速度を根本的に制限し、防水加工はポリウレタンフィルムに依存する。快適さを評価することは不可能である。米国特許第６７４６４９１号明細書には、おそらく軍服用にしわ防止加工をした防水衣類を製造するため、有効材料のうち特にフルオロアルキルアクリレートを含む特殊混合物で衣類を処理することが記載されているが、下着については言及していない（特許文献５）。米国特許出願公開第２０１１／００９４０１７号明細書は、巻き上げ縫い目付きの防水パンティーについて記載する（特許文献６）。
【００１９】
要約すると、先行技術は、身体からの無意識の排出物を吸収し、繰り返し洗濯および再使用できる、目に見える一見普通の防水外面が吸収パウチを覆う衣類または下着を開示しない。
【先行技術文献】
【特許文献】
【００２０】
【特許文献１】米国特許第５３０００５４号明細書
【特許文献２】独国特許発明第４４２９２５１号明細書
【特許文献３】国際公開第２０１４／０２６２３６号
【特許文献４】ベルギー特許第１０１０２７９号明細書
【特許文献５】米国特許第６７４６４９１号明細書
【特許文献６】米国特許出願公開第２０１１／００９４０１７号明細書
【非特許文献】
【００２１】
【非特許文献１】Fado et al "Absorbent products for urinary/fecal incontinence: a comparative evaluation of key product designs" Health Technology Assessment (2008) 12 no.29
【非特許文献２】Beguin et al "Improving diaper design to address incontinence associated dermatitis" BMC Geriatrics (2010) 10:86
【非特許文献３】Baker J et al "Evaluation of absorbent products for women with mild to moderate urinary incontinence" Applied Nursing Research 9; No. 1 (Feb 1996) 29-36
【非特許文献４】Irwin DE et al, "Worldwide prevalence estimates of lower urinary tract symptoms, overactive bladder , urinary incontinence and bladder outlet obstruction" BJUI 108; 1132-1139 (2011)
【発明の概要】
【発明が解決しようとする課題】
【００２２】
人の身体から排出される液体または半固体を起こり得る排出速度で吸収する容量を有し、吸収物を保護カバーの外面の外に漏らさず、臭いを出さないと同時に、快適で、水蒸気を透過し、本人にも他人にも美的に許容可能である、再使用可能な衣料、特に下着が必要である。毛細管状の流路を用いて液体を肌から遠ざける下着が望ましい。さらに、吸収特性は、気体透過性防水外面を通じたパッドからの蒸発を利用するため、長期間維持されることが望ましい。高温気候において、この衣類は唯一の着用衣類を構成し得る。膀胱または腸に起因する失禁症、月経時流体または産後流体など、身体からの流体の放出を完璧に制御できない人は、漏らすことができ心強いが目立たない吸収衣料を高く評価しよう。失禁症を患う人々はそれにきまり悪さを感じる。引用文献は、概して不十分な、現代の失禁症製品を記載する。
【００２３】
〔目的〕
本出願の目的は、着用者の身体から出る、膀胱または腸からの失禁排出物ならびに月経時流体などの湿気および液体排出物を吸収することが可能な、改良型再使用可能衣料を提供すること、または、少なくとも、有用な選択肢を社会に提供することである。
【課題を解決するための手段】
【００２４】
第一の広範な態様において、本発明は、人の身体の危険性のある領域から１つ以上の穴を通じて放出される１つ以上の排出物を吸収および保持するのに適した、人用の洗浄および再使用可能な下着を提供する。該衣類は、内部、内側面、外部面および側部を有する吸収パウチアセンブリを備える。該パウチに取り付け、人の身体が支えるパウチ保持手段により、パウチの内側面は使用中、危険性のある領域の近くに、または該領域に接触して位置する。保持手段は、弾性紐、弾性ウエストバンド、および胴体／足パネルなどの弾性布地パネルを含む範囲より選択する。保持手段は通常の衣類または下着に類似する。内側面は、肌に適合可能で、湿潤性および透過性を有する布を備えた少なくとも１つの成形パネルを含み、該内側面は、流体を吸収する、柔軟な成形吸収パッドの底面および両側部を取り囲みつつ該底面および側部に接触する。該成形吸収パッドは内面、外面、および、少なくとも１つの側部を有し、ある量の、湿潤性で液体を吸収する組成物を備える。吸収パウチアセンブリの内部は、適合可能で疎水性および気体透過性を有する組成物を備える、少なくとも１つの外部形状の布パネルにより外面で封止する。
【００２５】
好適には、吸収パウチの内側面は、弾性がある親水性の織編布を含み、内側面の肌適合特性は、エラスタン、つまり、「速乾」機能性１００％ポリエステルとして知られる好適な布を含む範囲より選択した、弾性繊維からできた布の含有物により提供される。
【００２６】
好適には、吸収パウチ内の吸収パッドは、タフティングしたタオル地および綿を含む範囲より選択した、ある量の吸収性繊維状物でできた少なくとも１つの層からなり、柔軟である。
【００２７】
関連する態様において、パッドの内側部は、パッドの比較的高密度の外側部と比べ、流入に対し比較的開放され、透過性を有するように構成し、それにより、放尿に特有の流速で流入してくる液状物質を容易に受け取れるようにする。
【００２８】
さらに関連する態様では、衣類または特にパッドは、銀コロイドおよび活性炭を含む範囲より選択した有効成分を、任意で層内に含む。
【００２９】
さらなる態様において、衣類および下着は「Ｇストリング」スタイルで提供する。ここで、吸収パウチアセンブリは各前側からのウエスト紐、および、後ろ側に向かう紐またはトングにより所定の位置に保持し、パウチ以外の布パネルは存在しない。
【００３０】
第２の広範な態様において、パウチの外側成形パネルは弾性のある編織布であり、防水加工工程にかけた。
【００３１】
好適には、防水加工工程にはフルオロアルキルアクリレートを含む範囲より選択する撥水剤を含み、これを外側成形パネルに使用する布に浸透させることにより、防水、疎水性ながら気体透過性を有するパネルを形成する。布は以前の弾性特性を保持する。
【００３２】
関連する態様において、吸収パウチアセンブリの内部と外部環境の間にある少なくとも１つの縫い目は、遮水剤を使用して防水性にする。該遮水剤は、ヒートシール性テープなどのシリコン含侵テープ、可塑性ポリテトラフルオロエチレン（ＰＴＦＥ）、シリコンが豊富な塗料または撥水シリコンインクの範囲より選択する。これは液体が、少なくとも一部のスタイルにおいて、吸収パウチアセンブリの内側から縫い目を通して吸い上げられることで外部に移ることができないようにするためである。
【００３３】
好適には、少なくともより大きい容量を目的にしたスタイルにおいて、足開口周りに弾性バンドを提供する。
【００３４】
好適には、胴体／足パネルは成形し、織編レースからなり、該パネルはストレッチ性布である。
【００３５】
関連する態様において、胴体／足パネルは防水布地により構成し、本発明に従い防水加工をする。
【００３６】
好適には、衣類または下着は、３０ｍｌ〜５００ｍｌの放出流体を保持するため、様々な公称容量で生産する。
【００３７】
好適には、衣類または下着は、ＸＳ（子ども用）〜６ＸＬ（大柄な大人用）の、様々な身体サイズで生産する。
【００３８】
好適には、衣類または下着は、該衣類の着用者が差別、きまり悪さ、または不快さを感じないようにするため、通常のズボン下、ブリーフ、パンティー、Ｇストリング、または他の下着と外観およびスタイルが類似した衣類または下着であるように、色つきの様々な布（レースを含む）より選択した布、構成およびスタイルを使用して生産する。
【００３９】
さらなる態様において、該衣類または下着には、男性器を収容可能な内部スペースを供給することにより着用向けに改作した男性用スタイルが含まれる。
【００４０】
好適には、該衣類には、内部スペースの片側に前部開口を含ませることにより改作した、男性用スタイルが含まれる。
【００４１】
好適には、大容量バージョンにおいて、胴体／足パネルは、防水および気体透過性の布でできた外側ストレッチ性層と、湿潤性で、液体吸収性および気体透過性を有する布層を備えた内側ストレッチ性層を備える。
【００４２】
任意で、下着の側部に、足および尻を覆うテープ調整手段を設ける。好適には、任意の１サイズでより広い範囲の人に合わせることが可能であるように、または、衣類を開き構成で人にあてがうことができ、足の上で引き上げることがないように、該テープ調整手段には、かぎホック留めまたは「ベルクロ（登録商標）」などの可逆性取り付け手段、編み上げタイ、タイに通して交差させたレース、ならびに、バックルおよびベルトが含まれる。
【００４３】
任意で、衣類は、動けない人に合わせることができるよう、開く調整手段付きで、使用または再使用の準備ができた状態で供給する。
【００４４】
任意のスタイルに適用可能なさらなるオプションにおいて、本発明は、ポリウレタンフィルムおよび芳香族ポリエーテルのフィルムを含む範囲より選択した防水プラスチックフィルムの補助層を含む。これは吸収パッドの外面に適用し、防水布でできた外側成形パネルの下に置く。
【００４５】
さらに広範な態様において、本発明は吸収性があり再使用可能な衣類または下着を提供する。該衣類または下着には、人の身体から排出される液体または半固体を吸収可能な吸収パウチを、布パネルおよび弾性バンドを用いて前記排出物の発生源の近くに置く。前記パウチは、前記液体または半固体を内側吸収層に通すことが可能な布を備えた内側ストレッチ性裏当てを有する。ここでは布を備えた外側防水面が露わになり、目で見て従来の衣類の表面と見分けることはできない。
【００４６】
〔好適な実施形態〕
本明細書で提供する本発明の記載は、単に例として供与するものであり、本発明の範囲または広がりを限定するものであると解釈すべきではない。この明細書を通し、本文が別の意味を求めない限り、「含む（comprise）」という単語および「含んでいる（comprising）」または「含む（comprises）」などの変形体は、記載の整数もしくはステップ、または、整数もしくはステップの群を含むことを意味するが、他のいずれの整数もしくはステップ、または、整数もしくはステップの群の除外を意味するものではないと理解されよう。各文書、参考文献、特許出願または本文で引用した特許は、その全体が参考として本明細書に明示的に組み込まれる。本文で引用した内容または情報への言及は、該内容または情報が一般常識の一部である、または、ニュージーランドまたは他の国において既知であるという譲歩として理解すべきではない。
【図面の簡単な説明】
【００４７】
【図１】本発明に従って一般化した下着のパウチの横断面の模式図である。これは、明確にするために、図２ａ（ｍ）のＡ−Ａ断面からとった分解図である。
【図２ａ（ｍ）】男性バージョンであるスタイル４およびスタイル５の下着の外観を示す図である。
【図２ａ（ｆ）】女性バージョンを示す左側の図である。
【図２ｂ】スタイル５またはスタイル７の下着を着用した男性モデルの写真からとった図であり、体にぴったり合っていることを示す。
【図３】スタイル１の下着用の布裁断形状を示す図である。
【図４】スタイル１の下着の１つのバージョンを示す図である。
【図５ａ】スタイル２の下着の正面を示す図である。
【図５ｂ】スタイル２の下着の背面を示す図である。
【図５ｃ】スタイル２の下着用の布裁断形状を示す図である。
【図６】スタイル３の下着用の裁断形状を示す図である。
【図７】スタイル４の下着用の裁断形状を示す図である。
【図８】スタイル５の下着用の裁断形状を示す図である。
【図９】スタイル６の下着用の裁断形状を示す図である。
【図１０】スタイル７の下着用の裁断形状を示す図である。
【図１１ａ】モデルが着用したスタイル８の下着の斜め面を示す図である。
【図１１ｂ】モデルが着用したスタイル８の下着の背面を示す図である。
【図１２】レースを備えた胴体／足パネルを有する、スタイル４の「ヒップスター」衣類を示す図である。
【発明を実施するための形態】
【００４８】
〔概説〕
本発明の概念は、パウチ、つまり、洗濯および再使用可能な排出物収集密封パウチであって、該パウチは、親水性の適合可能な布により肌に接触する側を密封し、疎水性だが気体透過性を有する適合可能な布により外部側を密封する。パウチは吸収性繊維状物を含む。パウチは、弾性バンド、紐、および／または布の配置により所定の位置に保持し、あらゆる点で、普通のスタイル、材質、色およびサイズで提供された通常の下着と外観および雰囲気が似ている。つまり、「パウチ保持手段」は通常の下着と見た目が類似する。本発明の本質は、「Ｇストリングスタイル」を考慮することにより明らかになる。下記のスタイル１についての記載と合わせて図１１ａおよび１１ｂを参照されたい。
【００４９】
衣類の構造は、目的の容量により部分的に決定する。全スタイルは「速乾」内側層を含む多層パウチを提供し、これは液体を容易に、好適には少なくとも、体から放出され得る速度で、１つ以上の層でできた適切な量の中間吸収アセンブリに移す。該層には活性層を含めることができる。肌と接触する層の「速乾」面は、肌のかぶれおよび不快さを防ぐ。パウチは少なくとも、最も外側に防水織布層を有する。縫い目は組立時に使用する。パウチは完成した着用可能下着の一部として提供し、該パウチは、衣類の残余−特に弾性ウエストバンドおよび胴体／足パネルなど−により、図１１ａおよび１１ｂで示すように最小限で所定の位置に保持する。吸収材は、一部の先行技術とは異なり、取り外し可能または取り替え可能であることは目的としない。
【００５０】
本発明は、ズボン下、ショーツ、ブリーフまたはパンティーのような下着の事例範囲に関連して記載する。該範囲の各要素は、本明細書ではスタイルと呼ぶ。低用量スタイルは、大容量スタイルが持つ新規性のある特徴を全て含むとは限らない。記載する全スタイルは共通の特徴を有する。それは、排出開口の位置に応じ、通常は、性別および必要条件に応じて尿道ならびにおそらく膣および肛門付近に、衣類の中線に沿って構築した再使用可能な「下着装着型」排出物吸収構造（本明細書では「パウチ」という）を提供することである。好適には、衣類はストレッチ性のある適合可能な布地および柔軟なパッドを使用する。これは排出物をパウチの内部に移すのを補助する。任意の１スタイルは、適当な着用時間での公称液体容量と、男性用に成形されているか、女性用に成形されているかということによりまず識別される。下着は任意で、足および尻を覆うテープ調整手段を側部に備える。好適には、テープ調整手段にはかぎホック留めまたは「ベルクロ（登録商標）」などの可逆性取り付け手段が含まれ、これは、床についている患者の下着を変えることをより容易にし、任意の1サイズでより広い範囲の人に合わせることを可能にする。
【実施例】
【００５１】
〔スタイルの要約〕
この表は、現時点で販売されているスタイルの範囲を示す。本発明は、疾患または固定観念および差別にさらされる煩わしさに対する市場の要求をある程度満たす。いずれのスタイルも「子ども用」つまりＸＳから「非常に大柄な大人用」つまり６ＸＬまで、様々な身体サイズで製造することができる。
【００５２】
【表１】
2017513671.tif 000003
【００５３】
好適には、この種の下着に使用するために選択した材質は全て、特に、濡れた、または、湿った肌と接触するものは、低アレルギー活性または抑制アレルギー活性である。高齢者は炎症およびアレルギー反応に、より影響されやすい傾向があることから、アレルギー活性が全くないことがより好適である。全スタイルは、早期に廃棄する必要がないように高温条件下（下記参照）で繰り返し洗濯することが可能である。
【００５４】
図１は、下の（体に接触する）内側面を一緒に描いた、洗浄可能吸収材を含むパウチの合成概略図である。それは右側（男性用）図、つまり図２ａ（ｍ）にある線Ａ−Ａに沿った横断面である。それは、男性器用のスペースを形成するために提供する対のパウチパネル構成要素を含むが、図自体はそのスペースを示すようには描いていない。図１において防水外向きパネル１０１は１０１ａおよび１０１ｂと示し、以下に記載するように、パウチの封止外側層を含む、防水織布でできたストレッチ性層を備える。単一の防水パネルは通常、女性用衣類で使用する。一部のスタイルは単一の防水層１０１ａおよび１０１ｂを有するが、大容量スタイルは２つ有し得る。注意すべきは、防水パネルは大容量スタイルにおいて衣類全体を覆う場合があることである。好適な防水加工処理については以下に記載する。
【００５５】
胴体／足パネル１０２はパネル１０２ｃおよびパネル１０２ｄと示し、図１では点線で示す。該胴体／足パネル１０２は下着の主要部位を備える（ただし、スタイル１でのレースは任意である）。パウチの吸収パッドと肌の間の層は１０３ａおよび１０３ｂ（一部のスタイルでは一緒にする場合がある）と示し、これは、湿潤性および透水性の「速乾」布地を備え、身体の形状に適合するためのストレッチ性と、通気性を有することが望ましい。１つの好適な布地は約９４％のポリエステルと６％のエラスタン「スパンデックス（登録商標）」を含み、該エラスタンは弾性と形状適合特性を提供する。別の好適なバージョンはストレッチ性を有する竹編布を備える。３つ目のバージョンは編んだ綿で、これも好適にはエラスタンを含む。好適なことに、綿の服地は柔軟で固く織られていない。パネルは濡れている場合でも肌に張り付かない。図１において、１０３ａおよび１０３ｂは、男性用パウチの内側面を形成するのに使用する対になった形状であるが、女性用パウチでは単一形状を使用する。１０２ｃおよび１０２ｄは、人の尻周りに延在してパウチの後部を終端させる胴体／足パネルである。人の身体サイズに関連して選択した下着において、防水性の１０１ａおよび１０１ｂならびに非防水性の１０３ａパネルおよび１０３ｂパネルの両方にある好適なストレッチ性は、層パネル１０２を肌に接触させる。これの３つの理由は、外観、快適さ、ならびに、排出物および湿気の最適な移送である。密接な接触は（蒸発と共に）毛管作用により液体を肌から離し、内側層１０３ａ、１０３ｂを通じてパウチに移動させるのを補助する。胴体／側部パネル１０２ｃ、１０２ｄは人の身体周りの裏当てで、パウチの端に縫い付けることにより接合する。下着のうち最大容量の２例、スタイル６およびスタイル７は、防水性ながら水蒸気透過性の材料でできたカバーを胴体／足パネルに加えることにより、非防水部位１０２ｃ、１０２ｄを改良する。下の「バリエーション」も参照のこと。
【００５６】
本発明に従うと、防水層は胴体／足パネルを含むように延在することができる。該防水層には通気性があって快適さを助長し、失禁症に関連する、過度に濡れた肌により促進される皮膚炎など起き得る合併症を低減する。吸収パッドに捕えられた液体の一部は下着を着用している日中に周囲に蒸発することから、パッドは１回の排尿でいっぱいになる場合より多い液体を使用中に保持することが可能である。
【００５７】
使用時に排出物は湿潤性吸収体積に向かい、湿潤性パネル１０３ａおよび１０３ｂを通って毛管作用により該湿潤性吸収体積に引き寄せられる。ここでは、該吸収体積は１層だが２つの部位で示し、これにより１０６ａおよび１０６ｂという男性用構成を可能にする。水分の移動は着用者の身体のぬくもりにより促進され、水分を１０３ａおよび１０３ｂより蒸発させて下着の中でさらに凝縮する。結果として、衣類は使用中液体が蓄積するにつれ重くなるだろうが、衣類の肌接触部が使用中に冷たくべたつく感じはない。
【００５８】
図１はまた、図式形状の縫い目を示す。１０８は３つのピース、１０３ａ、１０２ｃおよび１０１ａを一緒に固定する１つの方法を示し、好適には、多本針縫製でフラットロック縫いまたはオーバーロック縫いを使用し、それを反対側で繰り返す。１１０は、吸収層つまり層１０６ａ、１０６ｂの位置を衣類パウチ内で維持するのに用いる、臨時に行う環縫いを示す。縫い目１０９は、防水パネルセグメント１０１ａ、１０１ｂを通るパウチの中央線を固定する。縫い目は、近くに適用する内在非湿潤性封止テープ１０７または他のカバーとともに製造時に提供する。これは、毛細管状流路により縫い目自体を通って、吸収層１０６ａ、１０６ｂから防水環境を飛び越えて人の外側衣類に漏れることを防ぐためである。好適なテープの適用方法は以下に記載する。図２ａ（ｆ）の女性用バージョンは、対になった部位を接合する中央縫い目線を含まない。
【００５９】
吸収パネルまたはアセンブリは、液体排出物を吸収するため、容量の大きいタフティング綿などの吸収織布が望ましい。図１に示すよりも多い吸収材層を使用することができる。発明者は吸収綿を使用することを好む。これは、価格、安価、耐久性、洗浄性、アレルギー影響の低さおよび吸収容量に関し、最も適している。当業者に知られている、液体を吸収する容量の大きい他の繊維状物質または細砕物質を使用することは可能だが、注意すべきは多くの既知のオプションは繰り返しの使用および繰り返しの洗濯に耐えることができないことである。一部のゲルが不可逆的に湿気と結合し、１度の使用には適切である。一部は水を吸収する際膨張するという不都合な特性を持つが、選択した綿は濡れた場合わずかに縮む。
【００６０】
〔活物質〕
パウチ内の排出液体は、吸収層１０６ａ、１０６ｂまたは別の層に組み込んだ、任意に含ませた活物質と相互作用することができる。例えば、悪臭を取り除く傾向がある活性炭、または、殺菌性を有し臭いの生成を防ぐ銀コロイド（または粒子状硫酸銀または他の塩）を含むことができる。下着全体にいくらかの結合銀コロイドを含めることができる。溶けやすいが、ヨードホールまたは抗生物質を含むことができる。活物質は、臭いを低減し、または、飛行機を使った長距離旅行などの状況において、抗感染症剤として少なくともいくつかの病状に対し有効であり得る。
【００６１】
図２ａ（ｍ）はスタイル５の衣類２０１の外観（スタイル７の外観と類似）を示す。図２ａ（ｆ）は、女性用のスタイル４の衣類２００の外観を示す。両者とも前からの外観である。２０３はウエストバンドを示す。２０４は、吸収パウチの防水カバーを示す。２０５は弾性足バンドの位置を示すが、全てのバージョンで使用するとは限らない。図２ｂは男性モデルの着用するスタイル５またはスタイル７の衣類の写真からとったが、該図２ｂに示すように、下着２００ａは、外側層の防水部及び非防水部の両方で使用する好適なストレッチ性のある布により、普通の下着のように人の身体の形状に適合する。着用者は社会的交流の観点で自信を失っている場合があり、可能な全ての励ましを与えるべきであることから、流行に調和しつつ美的な形状にはこだわりがある。発明者は、失禁症であると公に認知されることになる、見てすぐに分かるきまり悪い装身具と思われなければ、該衣類はより容易に採用されると考える。
【００６２】
最も外側の層は、衣類の目的をカモフラージュするため、おしゃれな色や模様にすることができる。選択した色は、染めた布を使って提供する。黒が１つの選択である。色は、病室ごとといった色識別用システムを提供するため、病院または介護施設の経営層が選択することができる。好適な防水加工工程（以下を参照）は色つき布を変色させることはない。これまでに製造した全ての下着は、耐変色性がある。
【００６３】
〔洗濯〕
本発明の衣類は一度使用して捨てることも可能だが、何度も洗浄および再使用できることを目的とする。発明者は、標準的な抗感染習慣に従うため、少なくとも７０℃（１５８°Ｆ）の殺菌温度で、衣類を従来のように機械洗濯することを勧める。衣類は性能損失なしに、少なくとも５０回の、おそらく２００回を超える湯洗い対し、有益に耐える。寿命テストは進行中である。対象の微生物には、腸内細菌、連鎖球菌、イースト菌、真菌等が含まれる。失禁液を排出するための最初の遠心分離（脱水）ステップまたは圧搾ステップ、および／ならびに、効力のある消毒剤に浸す段階を用いる。「速乾」層は水がいずれかの方向に向かうことを可能にすることから、乾燥はより実現可能である。その工程は、防水性外側織布の水蒸気透過性特性により促進される。
【００６４】
「速乾」層はとにかく乾燥感がある傾向にあるため、乾燥状態は質量で評価するのが最良である。いずれの衣類スタイルも乾燥重量に加え保持した水の重量を持つ。例えば、５０ｍｌの容量を持つスタイル２および３は、乾燥で約１３０ｇ、満杯で１８０ｇであり、１５０ｍｌの容量を持つスタイル４および５は、乾燥で約１７０ｇ、満杯で３２０ｇであり、５００ｍｌのスタイル６および７は、乾燥で約２００ｇ、満杯で７００ｇである。自動秤量を使用して、乾燥が不完全な品から乾燥した品を仕分ける。
【００６５】
〔本発明の防水パネル〕
全スタイルにある防水層（１０１または１０１ａ、１０１ｂ）は、保持された流体が吸収材１０６の容量内である限り、衣類の完全性を保ちながらパウチの内部を衣類の外部から少なくとも分離させる。防水パネルは撥水性および非湿潤性であるが、水蒸気に対する透過性は維持する。一部のスタイルでは、防水層を実質的に衣類全体を構成するように延在させて、防水層を横切る全縫い目も以下に記載するように封止する。
【００６６】
多数の防水加工が当業者には既知である。種々のスタイルの布パネルに使用する、現在好適な防水加工工程は、特定物質つまりフルオロアルキルアクリレート共重合体に依拠する。好適な物質および工程では、３〜５％のトリプロピレングリコール、５％未満の乳化剤、および水とともに、１０〜２０％のフルオロアルキルアクリレートを含む、ユニダイン（登録商標）ＴＧ−４１０Ｃ（Daikin Industries, No.8 Jinyu Road (West) Advanced Materials Industrial Park, Changshu, Jiangsu 215522, China）を使用する。
【００６７】
この例において、提供する５リットルのＴＧ−４０１Ｃ共重合体を１００リットルの水と室温で桶の中で混ぜる。桶は、処理する布のボルトよりも広い、対になったローラアセンブリを備える。ボルトからの布をローラの間に引き込み、エマルジョンに数秒間さらして再び引き出し、より多くのローラに通過させて余分なエマルジョンを取り除き、該エマルジョンを布地に固着させるため、熱風により、熱処理または乾燥する。平方メートルあたり約５グラムの防水材を布に添加する。現在は、かかる処理を１パスで行っている。
【００６８】
好適な処理は現在、「四方ストレッチ」または「二方ストレッチ」として知られるような、エラスタン含有ポリエステルなどの織布とともに使用する。それは伸長と復元を可能にする。編布に同様の処理を適用する予定である。布は防水加工の前に必要に応じて色付け、染色、またはプリントする。これは、選択した色または模様が最終製品において見えたままであるように、半透明または透明という効果をもたらす。使用者に快い、または美的な外観の衣類を提供する機能は非常に望ましい。結果として得られる防水布には、水蒸気など気体に対する透過性はあるが、液体に対する透過性はない。それは柔軟な風合いを保ち、カサカサした音は立てず、長寿命であると同時に美的であるという必要条件に合致する。レース、竹、または綿の胴体／足パネルは防水加工をしなくてよい。これは、この材質に防水材を適用することに技術的課題があり、いずれの場合もこのオプションを防水加工することに利点が少ない場合があるためである。
【００６９】
〔本発明の内部防水縫い接合〕
この態様の目的は、パウチに保持された液体排出物が、衣類の外部にある縫い目（または、縫い目の中に細長く固定剤を含んだ代替物）を通して出てくるのを防ぐことである。弱い縫い目線はすべて、その長さにそって撥水剤を適用することで、起き得る液体の外面への吸い上げから封止する。好適には、片側をホットメルト接着剤でコーティングしたヒートシール性撥水シリコンテープを、縫い目の長さに沿って、吸収層近くの内側に、つまり衣類の外面下に適用する。図１は内部接着性非湿潤層１０７を示し（明確にするため、層１０１ａ、１０１ｂから間隔を開けてある）、これは、シリコン含侵のため撥水性を有する封止テープ、ポリテトラフルオロエチレン（ＰＴＦＥ）を含む撥水テープ、または、シリコンが豊潤なため撥水性を有する、塗料もしくはシリコンインクといったヒートシール性テープの範囲より選択する。テープの使用はテントの製造で知られる。アイロン接着タイプの縫い目封止テープの範囲が適切であり得る。好適には、テープは、少なくとも一方がモータにより駆動する２つのローラの間で生じる力により縫い目に押し付けられる直前に、テープの熱可塑性側と適用する衣類の内部側に熱風を当てる機械により縫い目線に沿って接着する。代わりに、シリコン塗料をフェルトペン型の塗布機に似たディスペンサを使用して、手動で適用することができる。これは、テープを接着した縫い目を補強するのに使用することができる。別のバージョンでは、スクリーン印刷工程形式で、シリコンインクを縫い目上の望ましい区間に沿って適用することができる。このステップの結果として、着用者は、少なくとも吸収層の容量まで、漏れた液体は数時間完全に閉じ込められると確信することが可能である。
【００７０】
〔弾性保持テープ〕
衣類の男性バージョンは、ウエスト周りに弾性のある４０ｍｍ幅のジャカード織のバンドを備える（図２ｂのスタイル５または７の２０３）。該ウエストバンドは衣類保持のためである。胴体／足布が防水加工されている該スタイルにおいて、液体保持および防御のため、足開口は好適には、無意識に足を流れ落ちる液体に対する封止として弾性テープを備える。図２ｂにおいて、テープの位置は目に見える収縮２０５により示す。衣類サイズの選択時の基準の一つは、きつすぎることなく、ものを封止する足開口サイズである。時折、尿がパウチアセンブリに吸収されるより速く排出されるが、それは衣類内で一時的に遊離しよう。時折、衣類の公称設計容量を一定期間中に超えることがあり、発明者は、人々は自身の失禁症度合いをしばしば過小評価することを指摘している。
【００７１】
失禁症者の要求を利用可能な範囲の衣類と組み合わせる際、本人または介護者は、交換の間のおそらく４〜８時間にわたって、予期される体積の漏出液体を保持することが可能な衣類を選択し、本人の性別に衣類を合わせ、サイズを合わせ、本人を引きつける外観を選択しよう。最も外側の層は、任意の望ましい模様または色とすることが可能である。これは、防水加工は色を著しくくすませることがないためである。黒は１つの選択であるが、その色は無論限定されるものではない。
【００７２】
【表２】
2017513671.tif 000004
【００７３】
〔スタイルの範囲例〕
〔スタイル１：「女性用Ｇストリング」公称容量３０ｍｌ〕
市場ニーズの広がりを認識し、発明者は「Ｇストリング」または「トング」のオプションを提供した。これは、位置維持手段により身体に接触する位置に保持する、３部位排出保持パウチを備えるという本発明の概念を強調したもので、通常の下着と比較的区別がつかない。この概念は図１１において、１１ａ（斜め正面図）および１１ｂ（背面図）にあるように、使用時の完全な機能的形態で示す。ここで、ラベル１１０１は吸収パウチアセンブリ自体の外部疎水性面を示し、このパウチにおいて、成形パネルおよびパッドの形状はほぼ三角形である。この面の露出がこの発明の特徴である。
【００７４】
吸収パウチアセンブリには、エラスタンを含む親水性「速乾」布面を備えた最も内側の層が含まれる。これは、外側の防水層１１０１と組み合わせ、パッドの内側面と側部周りを覆って親水性吸収パッド材を完全に密封することにより吸収パウチを形成する。該吸収パウチアセンブリは、１つ以上の前方弾性紐またはバンドにより、快適な、しかし、効果的な張力で所定の位置に保持する。部位１１０２は着用者の右尻の上を横切り、部位１１０３は着用者の左尻の上を横切って通常のＧストリングの背面で接触または合流する。ここでは、背部または後部のトング１１０４も図１１ｂに示すように、適切な張力下で、会陰領域にある三角形のパウチの最も下の部位に１１０５で取り付け、該部位を保持する。吸収パウチの内部に入る縫い目がある場合、防水性となるように処理する。
【００７５】
レースの縁装飾またはパウチの上部にわたるプリントは好適である。結局これが、使用時に着用する唯一の衣類であり得る。このバージョンは小さい吸収パウチ内部体積を有するが、多量の失禁排出物を保持することはできない（公称容量約３０〜３５ｍｌ）。市場の需要は、失禁症は、失禁症者に対する固定観念から高齢者に限定されるものでは決してないという面を強調する。このバージョンは、本発明の他のスタイルのように洗濯および再使用可能であり、失禁問題の継続期間が短いと予想される場合、従来の女性用下着の下に着用することが可能であるため、新しい持ち衣装を購入する必要がない。
【００７６】
〔スタイル２：「軽度女性用」公称容量５０ｍｌ〕
このスタイルは、使用者のライフスタイルへの立ち入りを最小にするように設計する。本明細書に記載する本発明に従いさらに多くのバリエーションを製造することができるが、この公称容量で提供する範囲には、レースまたは服地の胴体／足パネル、ヒップスター、完全なブリーフまたはボーイレッグスタイルが含まれ、現在の色範囲は白、ベージュ、紺または黒である。模様は胴体／足パネルおよびパウチの防水外側面に容易にプリントすることが可能である。図４（前姿）の例に示すように、スリム型の下着４００は、密に織られた服地ではなく、レース、レースで縁取って編んだ竹布（部位３０１−図４）、または、好適には柔軟な布状の、おそらく編まれた綿で製造する。レースは９０％のポリアミド、１０％のエラスタン（スパンデックス（登録商標））とすることができる。パウチ構造４０２は図３において外形により詳述するが、一般化した図１の原則に従う。パウチは、尿道口までの前面と肛門の間の領域に少なくともまたがるように位置し、前述のように「速乾」布３０２でできた最も内側の層を含む。この層は、液体が一つの表面−身体接触面より速やかに吸収され、吸収層に移動するようにする。身体の熱は身体接触面を完全に乾かし、結果として人は濡れた衣類との接触を長時間にわたって感じることはない。肌の炎症つまり皮膚炎はそれにより最小化する。このスタイルのパウチは、吸収層として機能する吸収綿布の第２裁断形状３０３を提供する。パウチは、約９４％のポリエステル繊維と約６％のエラスタン繊維を含む前述の防水織布を備えた、防水だが通気性のある層３０４により外側から密封する。この防水層は、衣類が流行の衣類のように人の身体に適合するのに役立ち、身体からぶら下がることのないように弾性を保持する。
【００７７】
３つの層を、好適には５本針を使用して外側からフラットロック／オーバーロック縫いをし、好適には４本針を使用して内側からオーバーロック縫いをしてパウチの周辺に一緒に縫い付けながら、パウチアセンブリを衣類の胴体／足パネルに接合し、レースの縁取りと、任意で５ｍｍの弾性細片をウエストバンドのレースの縁取りの内側に使用することで完成した衣類を構成する。
【００７８】
〔スタイル２におけるバリエーション〕
軽度女性用下着のこの変形体も５０ｍｌの公称容量を有し、図５ａ（前）および図５ｂ（後）に示すようにより長い胴体を有し、高齢者の好むスタイルと調和している。図５ｃは裁断テンプレートまたはパターンを示す。衣類は前述のように、防水布の中に速乾層５０２、綿タオル地層５０３、および、外側層５０４を備えるパウチと接触する２つの側部５０１から作る。吸収層は布であり、その縁は固定してありパウチ内で移動することはできない。衣類の胴体／足パネルは防水加工していない。ストレッチ性のある織ったポリエステルまたは編んだ竹布が好ましい、５ｍｍ幅の弾性細片を含んだレースの縁取りは開口を囲む。
【００７９】
〔スタイル３：「軽度男性用」公称容量５０ｍｌ〕
このスタイルは、男性器を有する人に適応した成形パウチ構造を紹介する。これは、陰茎が前面腹部のより高い場所から尿を漏らす可能性があり、また、性器−陰茎および陰のう用に快適さのためにスペースを提供するために異なる。吸収層はまたもや綿タオル地を備える。図６を参照のこと。この衣類は２つの竹編布地の胴体／足パネル６０１を有し、これはパウチの前後で接する。これは、本実施例では防水加工しない。図は、パウチの対の「速乾」内側層パネル６０２ａおよび６０２ｂ、対の吸収綿タオル地形状６０３ａおよび６０３ｂ、ならびに、対の防水被覆形状６０４ａおよび６０４ｂを示す。パウチ外側層は典型的に、前述のように防水加工した、ポリエステル９４％、エラスタン６％の布で製造する。ここで、必要となる一段高い被覆は、湾曲縁を有する２ピースの湾曲した左右相称形状の対のパネルのセットよりパウチを形成し、その後、該湾曲縁を縫合することにより提供する。湾曲縁を取り付け手段により一体にする際、柔軟なシート材は変形して３次元の形を形成することは、下着製造を含む多くの分野の当業者にとって周知である。ピースを縫合すると、それは曲がり、使用者の腹部の下前部に沿って、性器を快適に収容するための物理的なスペースを提供しよう。当業者は、平らな布、特に、永続的に湾曲した形を提供するため熱可塑性繊維を備えた布を変形する他の方法があることを認識しよう。該熱可塑性繊維により中心の縫い目をなくすことができる。
【００８０】
〔スタイル４：「中度女性用」公称容量１５０ｍｌ〕
このスタイル−図７を参照−は、「速乾」の最も内側の層７０２の下に、綿タオル地７０３および７０４でできた２つまたは好適には３つのピースまたは層を備えた吸収層を有する。パウチ内のより体積の大きい吸収綿が約１５０ｍｌというより大きい容量を提供する。防水材でできた２層７０５および７０６（好適な工程については上記を参照）は、最も内側の速乾層を外側面からパウチに適用する際、同じ形に裁断する。防水加工をしていない２つの胴体／足パネル７０１はエラスタンを含むストレッチ性の編み竹布又は織布から裁断する。外部正面の外観は図２ａ（ｆ）に示す。図１２は、本発明の下着の普通の外観を示すために、このスタイルの生産バージョン、つまり、レースの胴体／足パネル１０２付きヒップスター裁断を１２００で示す写真より改作した図である。図１の番号を使用すると、図１２は、弾性があり防水加工してあって、つまり、疎水性だが透過性を有する布（カリパー厚さ０．２ｍｍ）でできた露出面１０１を示す。これは、本衣類の背面に延在し、レースの縁飾りにより外周面を縁取る。１０３は吸収パウチの内側面の片側の眺めであり、この面は「速乾」ポリエステル／スパンデックス（登録商標）の親水性および弾性を有する布（カリパー厚さ０．４ｍｍ）を備える。パウチ内の吸収パッド（カリパー厚さ約２ｍｍ）は見えない。足開口１２０１および１２０２は見え、両方とも弾性のあるバンドで縁取る。弾性のあるウエストバンド１２０３は上部開口を包み、使用中は人のウエストを囲む。
【００８１】
〔スタイル５：「中度男性用」公称容量１５０ｍｌ〕
図８を参照のこと。このスタイルの外側正面外観は図２ａ（ｍ）および図２ｂに示す。このスタイルは２つの対になった吸収ピースを含むパウチを有し、該ピースは、スタイル３ではパウチ内で使用し（８０２ａ／ｂ〜８０６ａ／ｂ）、層にした湾曲縁部より構成する。パウチは約１５０ｍｌというより大きい容量を有す。パウチの最も内側にある「速乾」層は、２つの部位８０２ａ／ｂ（図１の１０３ａ、１０３ｂ）より組み立てる。吸収材の２つの層の左側と右側の各々は、（対になった）最も内側の速乾層として同一の形に裁断し、８０３ａ、ｂおよび８０４ａ／ｂ（図１の１０６ａ、ｂ）で示すようにパウチ内で使用する。綿タオル地を使用する。２つの外側防水層を一緒に保持する中心の縫い目１０９は、前述のように、また、図１の１０７で図示するように、シリコンの防水テープにより内側面を保護する。パウチ上で２つの防水層８０５ａ／ｂおよび８０６ａ／ｂを使用することにより、より高い防御を提供する。防水加工工程は、本セクションでは前記のとおりである。２つの胴体／足パネル８０１は着用者の尻近くまで届き、好適には、ストレッチ性のある編み竹布または織ったポリエステルを含む。少なくとも一部の使用者は該衣類の着用時に前部開口を使用して時折排尿することが可能であることに注目し、発明者は男性用衣類のオプションとして簡便な前部開口を加えた。該前部開口は陰茎スペースの片側に開口を含み、着用者はこれを通して、簡便な機構内に排尿を制御する工程のために陰茎にアクセスすることが可能である。前部開口は、親水性の「速乾」弾性服地でできた２つの部位の間のスペースを横に横断し、これは該開口の閉鎖を維持するのに役立つ。
【００８２】
〔スタイル６：「重度女性用」公称容量５００ｍｌ〕
図９を参照のこと。パウチアセンブリ内にある吸収綿の３つまたは４つの層（９０４、９０５、９０６）がこのスタイルの液体容量を増大する。尻を覆う、２層になった下着の胴体／足パネルは左側と右側に防水だが通気性のある織布でできた２つのピース９０２を含み、これは、「速乾」布地でできた対応パネルを覆う。該パネルは着用者の身体の周囲を通り、各末端でパウチの端に縫い付ける。下にある層９０１は同様に「速乾」ポリエステルでできた２つのピースから作る。胴体／足パネルを含め、このパネルは全て弾性を有し、この特性は好適な防水加工工程後も保持され、確実にこの下着が人の身体の形に適合し、吸収パウチを所定の位置で保持されるようにする。それはだぶついた人口装具ではなく、美的なスタイルを提供する。胴体／足パネルは、パウチ自体の最も内側の（身体に最も近い）部分を形成する「速乾」の裁断形状９０３に隣接する。パウチは下着に縫い合わせる。パウチの端の周りの縫い目は、液体の外面への吸い上げに対し仕切りを提供するため、このセクションで前記したように、および、図１の１０７を参考に、ヒートシール性シリコンテープも使用して防水加工する。パウチの最も外側の層は防水加工した布でできた２つの層９０７、９０８である。両足開口部の周りにある弾性シリコンテープは、おそらく高速で放出される過剰な排出物を閉じこめるのに有用である。
【００８３】
〔スタイル７：「重度男性用」容量５００ｍｌ〕
この例は、スタイル６のように２層になった下着である。ここにおいて、ストレッチ性のある胴体／足パネルは図１０の１００２に示すように左側と右側の２つのピースから作り、該ピースはこのセクションで前述のように加工した防水織布からできており、「速乾」ポリエステル布でできた２つのピース１００１の上に重なり、外側部に関して必要な大きさにする。代わりに、より厚いミクロ繊維綿でできた１つのパネルも目的を果たそう。胴体／足パネルは、使用中、人の尻の周囲を通り、各末端でパウチの端に接合する。この層は、「速乾」布でできた、パウチの最も内側の（身体に最も近い）部位を形成する２つの縫い合わさった裁断形状１００３ａ／ｂに隣接するように（および、流体連通するように）縫う。防水材のストレッチ性は隣接を維持する。吸収綿でできた対の形状１００４ａ／ｂ、１００５ａ／ｂ、１００６ａ／ｂを使用し、このスタイルの液体容量を増大する。パウチは、このセクションで前述したように、防水布でできた２セットの縫い合わせた裁断形状１００７ａ／ｂおよび１００８ａ／ｂで仕上げる。このパウチの全層は、縫い合わせた際および使用中に男性器用の身体的スペースを提供するため、対になった湾曲した切断形状を備える。パウチ自体は、前述のようにヒートシール性シリコンテープを使用しながら防水加工した縫い目を用いてその周囲を縫うことにより衣類に縫い付け、パウチの縫い合わせたパネルの中央線もテープで防水加工する。
【００８４】
オプションとして、特定の身体サイズに対し調整できるようにするため、下着の任意のバージョンにおいて、側部などの箇所に、足および尻を覆うテープ状の調整手段を設ける。テープ調整手段はかぎホック留めまたは「ベルクロ（登録商標）」などの可逆性取り付け手段でよい。すぐ使用できる構成において足などに閉じた開口がないように、衣類に開く調整手段を提供すると、該衣類は足の上で引き上げる必要なしに、寝たきり、または、足の折れた患者など動けない人に容易に装着させることが可能である。
【００８５】
〔バリエーション〕
前述のほとんどのスタイルの構造の任意のバリエーションは、ポリウレタン、芳香族ポリエーテル、または両可塑性物質の混合物でできた層を吸収層の外側面に接着することである。該層は外側防水層の下に位置しよう。このオプションは液体を吸収層内に保持することを補助することを目的とする。このバリエーションは子供用スタイルに有用であり、下着を選択する人々が生成される液体の量を過小評価するというありがちな場合に過剰な液体をより良く保持するのに有用である。時折人々は、制御不能な理由により、思っていたほど早く下着を変えることができない場合があり、結果として吸収定格をやむを得ず超える場合がある。通気性のあるポリウレタン層材の供給元の１つは、Argotec LLC（Greenfield, MA01301, USA）から入手できる「Argotec（登録商標）」である。このバリエーションは一部の人々にとって有用であると実証することができる。
【００８６】
〔結果と特長〕
１．本発明の下着の試作品についての限定（３５人）実用化試験において、８５％が本発明の性能、外観および利用可能なバリエーションに概ね賛同した。非賛同の一部は、要求（衣類のサイズ、衣類の容量）が試験製品と十分に合わなかった人から生じた。注目すべきは、被試験者の５２％が、任意の一組の下着を着用する際、失禁症に関する複数のエピソードを経験していた（１名は２０以上の例を報告した）ことであった。この被試験者の６０％が吸収性を「非常に良い」と、使用可能な評価の内最も高い評価を下した。
２．アメリカ食品医薬品局が、本発明の衣類をDevice Class1：８７６．５９２０「失禁用の下着、保護するもの」と認可した。ただし、出願時には番号は割り当てられなかった。
３．本発明は、任意のサイズまたは年齢の男女失禁症者向けに、流体を吸収するための適切な容量を有し、快適で形状適合する、再使用可能な様々な下着を提供する。このトピックに関する文献から注意すべきことは、個人の好みを提供すべきであることに留意する。形状、寸法、弾性、色、および性別適合を、効果的な防水外部で提供する。
４．オプションとして、「ベルクロ（登録商標）」または類似のテープ調整装置を、足の外側および尻を覆うように備えることができる。動けない人にとって、足の上で引き上げるという不便さなしに衣類を合わせることが可能であるような、開くテープ調整装置付き衣類を使用することは利点である。
５．本発明の下着は、上に重なる衣類を通して輪郭として見えたとしても。通常の下着のように見える。手持ちの衣料を吸収衣類に重ねて着ることが可能である。それは、ストレッチ性のある布を使用していることもあってかさばらない。他の人々は失禁症の下着の使用を疑うことはないだろう。カサカサした音はしないため、該下着を着用した人が、きまり悪さを、そうでなければ重大な問題を恐れることなくコミュニティに出かけていくことを可能にする。様々な度合いの失禁症を有する、増え続ける高齢者など、コミュニティにいるあらゆる年齢の人が、本発明の衣料を機能的で特に美的で良好なデザインを有すると評価しよう。
６．衣類の防水特性は、封止が破損するリスクがない、または、ほとんどない、柔軟で蒸気透過性の織布内で提供する。人の肌は湿ることなく、失禁症に関連した皮膚炎にかかる可能性が低い。
７．選択した防水材は、高温の洗剤および攪拌がある中で、７０℃（１５８°Ｆ）以上の殺菌温度で繰り返し洗濯することに対し耐性がある。試験者の報告によると、洗浄およびその後の乾燥のしやすさは、大変良い（３８％）と良い（４１％）だった。
８．特に液体の、また、起こり得る臭いを効果的に確実に封じ込めることは、デザイン目標の達成を示す。一部のバージョンにおける弾性シリコンの足バンドは、吸収材が一時的に過負荷となり、結果として溢れた液体が着用者の足に流れ落ちることを防ぐ。
９．病院または介護施設の管理者に対し、「手入れが簡単」という属性は、洗浄後に再使用でき、分解および再組み立てがなく、洗濯する衣類を仕分けるのに役立つ任意の色分けにより満たす。蒸気透過性の外部と合わせて、非可逆性のジェルではなくパッドの液体を受動的に吸収することを選択すると、例えば１２時間という時間にわたる１回の使用での容量を拡大する。これは、液体の蒸発が多少起き得るためである。本発明の下着はおそらく百回洗浄することが可能であり、失禁症者のケアにかかる全体のコストを実質的に低減する。失禁症用衣類にかかる支出は低減する。本発明は洗濯機に入れ、熱湯で洗浄し、脱水し、乾燥することが可能である。乾燥は重さにより評価することが可能である。
【００８７】
本発明は特定のスタイルと特定の防水加工処理に関して記載したが、当業者は、本開示の範囲から離れることなく種々の変更を加えることができ、同等物を発明の要素に替えることができることを理解すべきである。そのため、本開示は特定の実施形態を開示することに限定されるべきでなく、添付の特許請求の範囲内に該当する全ての実施形態を含むことを意図する。
【図１】
2017513671.tif 000005
【図２ａ（ｆ）】
2017513671.tif 000006
【図２ａ（ｍ）】
2017513671.tif 000007
【図２ｂ】
2017513671.tif 000008
【図３】
2017513671.tif 000009
【図４】
2017513671.tif 000010
【図５ａ】
2017513671.tif 000011
【図５ｂ】
2017513671.tif 000012
【図５ｃ】
2017513671.tif 000013
2017513671.tif 000014
【図７】
2017513671.tif 000015
【図８】
2017513671.tif 000016
【図９】
2017513671.tif 000017
【図１０】
2017513671.tif 000018
【図１１ａ】
2017513671.tif 000019
【図１１ｂ】
2017513671.tif 000020
【図１２】
2017513671.tif 000021
【国際調査報告】
2017513671.tif 000022
2017513671.tif 000023